(57)【要約】【目的】剛性の高い構造の下に、複数の爪座バーに対する一括な高さ調整を可能にした爪座高さ調整装置とする。【構成】用紙搬送胴（１）と同心の２本の作動軸（１３）、（１４）が胴（１）の左右両側から回動されるように設けられ、そのうちの１本の作動軸（１３）は爪座バー（２）の高さ調整のために機能し、また、他の作動軸（１４）は爪座バー（２）の固定／解除のために機能する。【選択図】  図１
2004216623.tif 000002
【特許請求の範囲】
【請求項１】
用紙搬送胴（１）の外周に、駆動される爪（７）を受ける爪座（８）が胴軸方向に整列配置され、この爪座（８）を支持する長尺の爪座バー（２）が高さ調整のために胴（１）の半径方向に位置変更可能とされた枚葉印刷機において、
前記用紙搬送胴（１）と同心の２本の作動軸（１３）、（１４）が胴軸（４）を貫通し、かつ、胴（１）とは独立して、胴（１）の左右両側から回動されるように設けられ、
そのうちの１本の作動軸（１３）が前記爪座バー（２）の高さ調整のために機能し、
また、他の作動軸（１４）が該爪座バー（２）の固定／解除のために機能することを特徴とする爪座高さ調整装置。
【請求項２】
用紙搬送胴（１）の外周に複数の爪座バー（２）が均分配置され、これに伴い、前記作動軸（１３）、（１４）がこれらの爪座バー（２）に一括的に機能することを特徴とする請求項１記載の爪座高さ調整装置。
【請求項３】
爪座バー（２）の高さ調整のために、１本の棒状のカム（９）が該爪座バー（２）の下面に当接して回動されることを特徴とする請求項１又は２記載の爪座高さ調整装置。
【請求項４】
高さ調整のための作動軸（１３）がクラッチ手段（１７）を介してトルクを受け、固着された１枚のギヤ（１８）による連係手段（１９）を介して、前記カム（９）を回動させることを特徴とする請求項３記載の爪座高さ調整装置。
【請求項５】
高さ調整のための作動軸（１３）がクラッチ手段（１７）を介してトルクを受け、リンク（２０）及び自在接手（２１）による連係手段（１９）を介して、前記カム（９）を回動させることを特徴とする請求項３記載の爪座高さ調整装置。
【請求項６】
固定／解除のための作動軸（１４）がカム部（２３）及びレバー（２５）による係止手段（２７）によって爪座バー（２）を押圧係止することを特徴とする請求項３記載の爪座高さ調整装置。
【発明の詳細な説明】
【０００１】
【産業上の利用分野】
本発明は、枚葉印刷機に関し、特に、用紙搬送胴の爪座の高さを、紙厚に対応して調整する爪座高さ調整装置に関する。
【０００２】
【発明の背景】
枚葉印刷機の給紙部や印刷ユニット間に配設される用紙搬送胴にあっては、その外周に爪座を設けるとともに、爪を調時的に駆動し、これによってシートの端縁を把持しつつ搬送している。
特公平６−４１２０１号公報に詳述されているように、枚葉印刷機にかけられるシートの紙厚が変更されると、それに対応して、爪の受けとなる爪座の高さを調整しなければならず、さもないと、見当不良やファンアウトといった致命的な印刷障害を引き起こすこととなる。
【０００３】
【従来の技術】
特開平１１−４８４４９号公報にあっては、用紙搬送胴の半径方向に移動する調節バーにより、くさび状のスライドバーを胴軸方向に移動させることとした装置が開示されている。
また、特許２７７９１３６号公報にあっては、用紙搬送胴の胴軸中に埋め込んだ一つのモータにより、複数の爪座をバー材を介して集中的に調整する装置が開示されている。
更に、特公平８−２９５８６号公報にあっては、胴軸を中心にした１枚のディスクにより、胴周に均分配置された複数の爪座を集中的に調整する技術が開示されている。
【０００４】
【発明が解決しようとする課題】
ところで、近時はますます印刷運転速度が高速化してきており、これに従い、激しい爪開閉運動が連続し、高荷重下で繰り返し衝撃が爪座に加えられる。このため、旧来の装置ではガタつきが生じ易く、見当不良といった印刷障害の要因となっていた。
また、枚葉印刷機の印刷前準備時間を短縮する上で、用紙搬送胴の複数の爪座を簡便に一括調整するとともに、紙厚の変更に由来する他の調整作業（例えば、印圧調整）との連係を可能にすることが望まれる。
【０００５】
本発明は上記した問題に鑑みてなされ、進歩した枚葉印刷機の爪座高さ調整装置を提供するもので、その目的は、耐衝撃性に優れた剛性の高い構造とすること、並びに、上記の一括調整及び連係調整を可能として自動化に適した構造とすることにある。
【０００６】
【課題を解決するための手段】
そしてこのために、本発明に係る爪座高さ調整装置は、用紙搬送胴（１）と同心の２本の作動軸（１３）、（１４）が胴軸（４）を貫通し、かつ、胴（１）とは独立して、胴（１）の左右両側から回動されるようにして、そのうちの１本の作動軸（１３）が爪座バー（２）の高さ調整のために、また、他の作動軸（１４）がこの爪座バー（２）の固定／解除のために機能するようにしている。
用紙搬送胴（１）の外周に複数の爪座バー（２）が均分配置されている場合にも、２本の作動軸（１３）、（１４）がこれらの爪座バー（２）に一括的に機能するように構成している。
また、爪座バー（２）の下面に１本の棒状のカム（９）が当接して回動され、爪座バー（２）の高さ調整が行われている。
更に、高さ調整のための作動軸（１３）と棒状のカム（９）とを連係させる手段（１９）として、作動軸（１３）に固着された１枚のギヤ（１８）及びリンク（２０）と自在継手（２１）とによるものを以ってしている。
加えて、固定／解除のための作動軸（１４）は、カム部（２３）及びレバー（２５）による係止手段（２７）によって爪座バー（２）を押圧係止する。
【０００７】
【作用】
爪座高さ調整のために、クラッチ手段（１７）が入った状態で作動軸（１３）が回動され、そのトルクが連係手段（１９）を経由して棒状のカム（９）に伝えられ、カム（９）の回動により爪座バー（２）が胴（１）の半径方向に位置変更される。
また、爪座バー（２）を胴（１）に対して固定／解除するために、作動軸（１４）と一体のカム部（２３）が回動され、レバー（２５）が首振り運動して、爪座バー（２）を押圧係止する。
【０００８】
【実施例】
以下、図面を参照して、本発明の実施例につき詳細に説明する。図１は、本発明に係る爪座高さ調整装置を備えた用紙搬送胴（１）の一実施例を示しており、この用紙搬送胴（１）は、前記したように、枚葉印刷機の給紙部の給紙胴や、印刷ユニットの圧胴間を連結する中間渡し胴である。また、通例枚葉印刷機にあっては、版胴の直径を基準にして用紙搬送胴（１）の直径も等倍ないし整数倍（例えば２倍径）とされるが、この場合には、本発明装置による高さ調整の対象となる爪座バー（２）も、用紙搬送胴（１）の外周に、例えば２本というように均分配置されることは既に知られている通りである。
【０００９】
図１の横断面図に示すように、枚葉印刷機の両側のサイドフレーム（３）間に、用紙搬送胴（１）の胴軸（４）が回転自在に支承されており、印刷機本体の駆動源から、各種のギヤ連結により用紙搬送胴（１）が調時運転される。
【００１０】
図２及び図３の拡大摘示した具体例に示すように、用紙搬送胴（１）の外周の溝部（５）に爪軸（６）が胴中心と平行に延接されており、この爪軸（６）に多数の爪（７）が整列配置されている。
これらの爪（７）の受けとなってシートの端縁をくわえる多数の爪座（８）は、爪座バー（２）に固定されている。
従って、爪座バー（２）も胴中心と平行の長尺の部材であり、溝部（５）の壁面に沿い、胴の半径方向に位置調整可能とされている。
【００１１】
爪座バー（２）を胴の半径方向に高さ調整するため、胴中心と平行に１本の棒状のカム（９）が爪座バー（２）の下面に当接している。図１に示すように、回動自在に支承された棒状のカム（９）は、胴の全幅に渡って１本であり、制御トルクを受けるピニオン（１０）が固結されている。このカム（９）は、爪座バー（２）の下面に当接する外周全体の約１２０°が、その半径を無段階に変化させたカム面として形成されている。
なお、図２に戻ると、爪座バー（２）の下面をカム（９）に常時接触させるため、爪座バー（２）の数箇所にスプリング部材（１１）が押え板（１２）によって封止されており、この押え板（１２）により、爪座バー（２）の上限位置も規定されている。
【００１２】
再び図１に戻ると、用紙搬送胴（１）の左右両側から２本の作動軸（１３）、（１４）が胴軸（４）を貫通して設けられており、これらの作動軸（１３）、（１４）は軸受類（特に中間部分の共通軸受（１５）をその代表として指し示す。）によって、胴（１）とは独立して回動されるようになっており、両軸（１３）、（１４）は胴（１）の中心と同心であることは無論である。
【００１３】
図１の左側の作動軸（１３）は、爪座バー（２）の高さ調整を行うものであり、サイドフレーム（３）の外側のドライブギヤ（１６）及びクラッチ手段（１７）を介して制御用のトルクを受ける。
そのトルクは、図２に示すように、作動軸（１３）に固結された１枚のギヤ（１８）による連係手段（１９）を介して棒状のカム（９）のピニオン（１０）に伝達されるか、又は図３に示すように、リンク（２０）及び自在継手（２１）による連係手段（１９）を介してカム（９）に伝達されて、このカム（９）を所要量回動させる。
なお、このような連係手段（１９）は、制御対象となる爪座バー（２）が用紙搬送胴（１）の外周に複数個均分配置された場合にも、胴（１）の中心に位置する作動軸（１３）から、制御のためのトルクを複数のカム（９）に一括的に伝達できることは、容易に理解されよう。
【００１４】
図１の右側の作動軸（１４）は、爪座バー（２）を位置固定／解除するものであり、サイドフレーム（３）の外側の駆動レバー（２２）から制御用のトルクを受ける。図４及び図５に示すように、作動軸（１４）にはカム部（２３）が形成されており、ヒンジ（２４）によって首振り可能に支持されたレバー（２５）の一端がこのカム部（２３）に当接している。
レバー（２５）の他端は、爪座バー（２）に螺設されたロックボルト（２６）の端部に押し当てられ（図５）、爪座バー（２）を溝部（５）中で位置固定する。すなわち、カム部（２３）及びレバー（２５）が爪座バー（２）の係止手段（２７）を構成している。
【００１５】
次に、作用について説明する。図４に示したようにレバー（２５）による固定が解除された状態で、クラッチ手段（１７）を入れドライブギヤ（１６）からの制御用トルクを入れると、作動軸（１３）が回動される。
作動軸（１３）の回動は、図２のギヤ（１８）又は図３のリンク（２０）及び自在継手（２１）による連係手段（１９）を介して棒状のカム（９）に伝えられる。
カム（９）が回動されると、そのカム面の機能により、スプリング部材（１１）の押圧力に抗して爪座バー（２）が位置変更され、爪座（８）の高さが胴軸方向全体に渡り均一に調整されることとなる。
【００１６】
高さ調整の後、駆動レバー（２２）によって作動軸（１４）を回動させると、図５に示したように、ヒンジ（２４）によって支承されたレバー（２５）による係止手段（２７）が首振りして爪座バー（２）のロックボルト（２６）に強固に当接し、最早爪座バー（２）が微動も許されることなく固定される。
【００１７】
【発明の効果】
本発明に係る爪座高さ調整装置によれば、構造自体を剛性強度の高いものにして、高速の印刷運転に適した装置にできるのみならず、複数の爪座バーも一括的に調整でき、更に、紙厚変化に対応する他の調整との連係も可能となり、枚葉印刷機の自動調整に一歩を画するものである。
【図面の簡単な説明】
【図１】本発明に係る爪座高さ調整装置を備えた用紙搬送胴の一実施例を示す横断面図である。
【図２】爪座高さ調整装置の具体例を示す断面図である。
【図３】爪座高さ調整装置の他の具体例を示す断面図である。
【図４】爪座バーの解除状態を示す断面図である。
【図５】同じく、固定状態を示す断面図である。
【符号の説明】
１          用紙搬送胴
２          爪座バー
４          胴軸
５          溝部
６          爪軸
７          爪
８          爪座
９          カム
１１        スプリング部材
１３        作動軸
１４        作動軸
１７        クラッチ手段
１８        ギヤ
１９        連係手段
２０        リンク
２１        自在継手
２３        カム部
２４        ヒンジ
２５        レバー
２７        係止手段
【図１】
2004216623.tif 000003
【図２】
2004216623.tif 000004
【図３】
2004216623.tif 000005
【図４】
2004216623.tif 000006
【図５】
2004216623.tif 000007